(57)【要約】      （修正有）【課題】頭皮へのマッサージをコンパクトな装置を用いて効率的且つ安全に行え、これにより血行を促進し頭髪の抜け毛防止、育毛・発毛効果を発揮することが可能な頭部マッサージ器を提供する。【解決手段】頭部マッサージ機１０は略球状体を房状に取り付けた複数の叩打部材２０と、叩打部材２０を保持する保持機構３０と、保持機構３０に揺動運動を行わせる叩打動作付与機構４０と、頭部に装着するための装着機構６０とにより構成した。【選択図】図１
2008043628.tif 000002
【特許請求の範囲】
【請求項１】
頭皮の血行促進等に用いる頭部マッサージ器であって、略球状体２１を房状に取り付けた複数の叩打部材２０と、該叩打部材２０を保持する保持機構３０と、該保持機構３０に揺動運動を行わせる叩打動作付与機構４０と、頭部に装着するための装着機構６０とにより成る頭部マッサージ器。
【請求項２】
叩打部材２０を保持機構３０に対して着脱自在とした請求項１記載の頭部マッサージ器。  
【請求項３】
叩打部材２０による打ち付け動作を順次に行わせるようにした請求項１又は２に記載の頭部マッサージ器。
【請求項４】
叩打部材２０による打ち付け動作の強度を調整可能とした請求項１乃至３いずれかに記載の頭部マッサージ器。
【発明の詳細な説明】
【技術分野】
【０００１】
本発明は頭部マッサージ器に関し、より詳しくは頭皮をマッサージすることで頭皮の血行を促進し、頭髪の抜け毛防止や育毛・発毛を図るための頭部マッサージ器に関する。
【背景技術】
【０００２】
頭部をマッサージし育毛等をはかる装置として例えば実開平２−６８８３９号公報記載の頭皮マッサージ器や、実開平４−８３６号公報記載の発毛促進具等がある。ここに実開平２−６８８３９号公報記載の考案は、帽子状体の内側に取り付けたマッサージ板を振動させることで頭皮へのマッサージを行うものであり、実開平４−８３６号公報記載の考案は、ヘルメットの内側に設けられた摩擦板が往復運動することで頭皮へのマッサージを行うものである。
【特許文献１】実開平２−６８８３９号公報
【特許文献２】実開平４−８３６号公報
【発明の開示】
【発明が解決しようとする課題】
【０００３】
頭髪の抜け毛防止や育毛・発毛のため種々の育毛剤・発毛剤が製造市販されている。しかしこれら育毛剤や発毛剤は発毛効果が不十分であるという問題点があった。又使用者の体質によっては頭皮に湿疹がでる場合があるなどの問題点も有するものである。
【０００４】
他方で手やハンドタイプの器具で頭皮に物理的刺激を与えることで、発毛等の効果を目指す方法もある。これら物理的刺激を与える方法は使用者の体質による副作用といった問題点が生じることが少なく有用なものといえる。但しこれらの方法は手作業による施術が必要であり、労力が大きく長続きしないという問題点を有するものである。
【０００５】
本発明は以上のような点を考慮してなされたものであり、頭皮へのマッサージをコンパクトな装置を用いて効率的且つ安全に行え、これにより血行を促進し頭髪の抜け毛防止、育毛・発毛効果を発揮することが可能な頭部マッサージ器を提供することを目的とする。
【課題を解決するための手段】
【０００６】
上記課題を解決するために請求項1記載の頭部マッサージ機は略球状体を房状に取り付けた複数の叩打部材と、該叩打部材を保持する保持機構と、該保持機構に揺動運動を行わせる叩打動作付与機構と、頭部に装着するための装着機構とにより構成した。又請求項２記載の頭部マッサージ器においては叩打部材を保持機構に対して着脱自在に構成した。更に請求項３記載の頭部マッサージ器は叩打部材による叩打動作を順次に行わせるように構成した。又請求項４記載の頭部マッサージ器は叩打部材による叩打動作の強度を調整可能とした。
【発明の効果】
【０００７】
以下、上述のように構成される本発明が如何に作用して課題を解決するかを図面を参照しながら述べる。
【０００８】
図1は本発明の使用状態を示す説明図である。尚、図１においては内部を可視的にするためにケーシング１１は仮想線(二点鎖線）で表してある。本発明にかかる頭部マッサージ器10は装着機構50によって頭部に装着して使用するものである。頭部マッサージ器10を構成する保持機構30には、略球形を呈する略球状体21を房状に取り付けた叩打部材20が取り付けられており、該叩打部材20は揺動機構40により揺動運動が付与されるものである。この揺動運動により叩打部材20を構成する略球状体21が頭皮に打ち付けられるものである。かように本発明によれば叩打部材20の打ち付け動作により頭皮に刺激を与えるものであり、打ち付け強度を適宜に調整しさえすれば振動式頭皮マッサージ機のように常時振動を与えることもないので、安全に頭皮マッサージを行うことが可能となるのである。又頭部に装着しさえすれば後は自動的にマッサージが行われるものであり、使用者の労力少なく施術を行うことかが可能なものである。図1においては後頭部への刺激を与えている場合を図示してあるが、前後反対に装着すれば前頭部へ刺激を与えることも可能である。又保持機構50を用いて装着位置を変化させることが可能であり、所望位置に刺激を与えることが可能なものである。
【０００９】
又請求項２記載の頭皮マッサージ器10は叩打部材20が保持機構50に対して着脱自在に構成してある。ゆえに叩打部材20を取り外せばコンパクトに収納可能となり持ち運びに便利なものとなるのである。又叩打部材20の洗浄が容易になり衛生面での利点も有するものである。
【００１０】
請求項３記載の頭皮マッサージ機10は叩打部材20による叩打動作が順次行われるように構成してある。すなわち図1でいえば叩打部材20ａ、叩打部材20ｂ、叩打部材20ｃ、叩打部材２０ｄと順々に頭皮に打ち付けられていくものである。何故かように構成したかは、頭部という微妙且つ精妙な器官に過度な刺激を与えることを回避するためである。本発明はこのように安全面にも充分な配慮を施したものである。
【００１１】
更に請求項4記載にかかる頭皮マッサージ機は、叩打部材20による叩打動作の強度を調整可能となしてある。これにより使用者が好みの強度に設定でき、使い勝手に富むものとなるのである。又調整可能としたことにより使用者が不快を感じるような刺激を与えることを回避でき、安全な施術が可能となるのである。
【発明を実施するための最良の形態】
【００１２】
以下好ましい発明の一実施形態につき図面を参照しながら述べる。
【００１３】
図2は本発明の右側面図であり、図3は同正面図であり、図４は同背面図であり、図5は同平面図であり、図6は本体カバーを取り外した状態での一部平面図であり、図7は図6におけるＡ−Ａ断面図であり、図8は同Ｂ−Ｂ断面図であり、図９乃至図１１は叩打部を着脱可能となす手段を示す説明図であり、図１２ａ乃至ｄは揺動運動の説明図であり、図１３は可動体が上昇した状態を示す説明図であり、図１４は打ち付け時の状態を示す説明図であり、図１５は打ち付け強度の調整機構の模式説明図であり、図１６は補助固定アームの動作説明図である。尚、図２,３,４,５,７,８,１３,１４においては叩打部材２０の一部又は全部を仮想線（二点鎖線）で表してある。
【００１４】
叩打部材２０は図１に示すように幹部２２に略球形を呈する略球状体２１を多数房状に取り付けて形成されるものである。素材としては弾力性を有する合成樹脂等を用いることが好ましい。図1においては叩打部材２０には幹部２２が２本設けられているが勿論かかる限定を受けるものではなく、１本あるいは３本以上でも頭皮を効果的にマッサージすることが可能であれば任意本数でかまわない。又叩打部材２０自体の本数も頭皮を効果的にマッサージすることが可能であれば任意本数でかまわない。
【００１５】
保持機構３０は複数の可動体３１と、可動体３１の揺動軸３２より成るものである。可動体３１は揺動軸３２を中心として揺動運動を行うものである。この揺動軸３２はケーシング１１の左右側面部にわたり設けられたものである。又可動体３１の側面には後述するカム４１に当接する突起部３１ｄが設けられている。
【００１６】
可動体３１には叩打部材２０を差し込むための差込口３１ａが設けてある。この差込口３１ａに叩打部材２０の根元を差し込むことで、叩打部材２０を着脱自在に装着可能となすものである。着脱自在となす手段としては、図９に示すように可動体３１に切り込みを設けることで可撓部３１ｂを設けるとともに、該可撓部３１ｂの先端を半球形となす。この半球形部分を叩打部２０の根元に設けた半球形の凹部２３に嵌り込ませることで着脱自在となすといった方法。あるいは図１０に示すように可動体３１に円孔３１ｃを設ける。他方で叩打部材２０の根元に半球形の凸部２４を出没自在に設ける。そして凸部２４を円孔３１ｃに嵌まり込ませることで着脱自在となすといった方法。あるいは図１１に示すように叩打部材２０の根元の端部に、先端が球状の突起２４を設ける。他方で可動体３１の差込口３１ａの奥部に、端部が球形の挿入口３１ｄを設ける。叩打部材２０を差し込み口３１ａに差し込んだ際に突起２４が挿入口３１ｄにはまり込み着脱自在となすといった方法が考えられる。勿論かかる限定を受けるものではなく簡易に着脱自在な手段であれば採用可能なものである。
【００１７】
可動体３１の差込口３１ａが設けられた側は、ケーシング１１の左側面側に設けられた開口部１２からケーシング１１外に延出するものである。
【００１８】
叩打動作付与機構４０はカム４１、軸４２、ウォームギア４３、減速ギア４４、モータ４５、電源４６及び電源スイッチ47より成るものであり、カム４１の回転運動により叩打部材２０に揺動運動を付与するものである。
【００１９】
すなわち図１２に示すように可動体３１を構成する突起部３１ｄがカム４１に当接しており、カム４１の回転に伴い可動体３１が上下運動を行い、つまりは可動体３１に取り付けられた叩打部材２０が上下運動すなわち打ち付け動作を行うものである。以下、詳述する。図１２ａに示すようにカム４１の回転軸４２に近い位置に突起部３１ｄが接している場合は、可動体３１及び叩打部材２０は頭皮に近い下がった位置にあるが、カム41の回転に従い図１２ｂに示すように突起部３１ｄとカム４１との接点は回転軸４２から遠ざかり、可動体３１及び叩打部材２０は頭皮から離れた位置に上昇する。このとき図１３に示すように後述する圧力バネ５０が可動体３１により圧縮されるものである。更にカム４１が回転し図１２ｃ、図１２ｄに示すように突起部３１dとカム４１との接点が回転軸４２に近い低い位置に戻るときに、可動体３１及び叩打部材２０は自重と圧力バネ５０の押圧力によって図１４に示すように頭皮に向かって勢いよく落下し、叩打部材２０による打ち付け動作が行われるものである。更にカム４１が回転すると再度突起部３１ｄとカム４１との接点が回転軸４２から離れた高い位置に上昇していき、以下落下打ち付け動作が繰り返されるものである。
【００２０】
カム４１は可動体３１の数に応じて軸４２に対して複数設けられている。請求項３記載の発明においてはカム４１の軸４２に対する取り付け角度をそれぞれ異ならせることで、
叩打部材２０の打ち付け動作を順次に行わせるよう構成されている。
【００２１】
図１に示すように軸４２には減速ギア４４が取り付けられており、該減速ギア４４はモータ４５に取り付けられたウォームギア４３と噛み合っており、モータ４５の駆動力により回転するものである。電源４６はモータ４５の動力源であり、電池が内蔵されるものである。勿論必ずしも電池電源にする必要はなく、例えばＡＣアダプター等を用いて外部電源を用いるようにしても構わない。又電源スイッチ４７が設けられており、この電源スイッチ４７により電源のオンオフを行うものである。
【００２２】
請求項４記載の発明においては叩打部材２０による打ち付け動作の強度を調整可能となしてある。かかる強度の調整は可動体３１の上部に介在させた圧力バネ５０の働きによるものである。すなわち図６、図１５に示すように可動体３１の上部には断面が略三角形状の調整棒５１が、偏心位置に設けられた軸５２を中心として回転可能に設けてある。そして調整棒５１と各可動体３１との間には圧力バネ５０が介在させてある。軸５２の端部に設けられた摘み５３を回転させると軸５２が回転し、これに伴い調整棒５１が回転する。この際軸５２が偏心位置に設けてあることから、調整棒５１と圧力バネ５０との当接面が変わるごとに図１５ａに示すように圧力バネ５０に対する押圧力を強めたり、図１５ｂに示すように押圧力を弱めたりすることが可能となるのである。
【００２３】
ここに前述のように圧力バネ５０が付勢することで叩打部材２０の打ち付け動作が行われているので、図１５ａの状態では打ち付け強度が増し、図１５ｂの状態では打ち付け強度が弱まるものである。かようにして請求項４記載の発明によれば打ち付け動作の強度を調整することが可能となるのである。
【００２４】
以上の叩打部材２０、保持機構３０、叩打動作付与機構４０及び強度調整のための機構等は図１、図２、図３、図５等に示されるケーシング１１内に収納されるものである。
【００２５】
装着機構６０は頭部固定アーム６１、補助固定アーム６２を主な構成要素とするものであり、頭部固定アーム61上にケーシング１１が取り付けられるものである。頭部固定アーム６１は使用者の一方耳部から他方耳部にわたり頭頂に沿う形で装着可能なアーム形状体であり、両端部には安定よく装着するための挟持体６３が設けられている。頭部固定アーム６１の弾力性により挟持体６３によって挟持される形態で頭部に装着するものである。
【００２６】
挟持体６３には補助固定アーム６２が図１６に示すように揺動自在に取り付けられている。揺動自在に設けてあるのは叩打部材２０による打ち付け位置を可変とするため及びコンパクトに収納可能とするためである。
【００２７】
又頭部固定アーム６１、補助固定アーム62及び挟持体６３の頭部に接する側の面にはそれぞれスポンジ等の柔性部材で形成される振動吸収体６１ａ、振動吸収体６２ａ、振動吸収体６３ａが設けてある。
【図面の簡単な説明】
【００２８】
【図１】本発明の使用状態を示す説明図。
【図２】本発明の右側面図。
【図３】同正面図。
【図４】同背面図。
【図５】同平面図。
【図６】本体カバーを取り外した状態での一部平面図。
【図７】図６におけるＡ−Ａ断面図。
【図８】同Ｂ−Ｂ断面図。
【図９】叩打部を着脱可能となす手段を示す説明図。
【図１０】叩打部を着脱可能となす手段を示す説明図。
【図１１】叩打部を着脱可能となす手段を示す説明図。
【図１２】揺動運動の説明図。
【図１３】可動体が上昇した状態を示す説明図。
【図１４】打ち付け時の状態を示す説明図。
【図１５】打ち付け強度の調整機構の模式説明図。
【図１６】補助固定アームの動作説明図。
【符号の説明】
【００２９】
１０・・頭部マッサージ器      
２０・・叩打部材
３０・・保持機構
４０・・叩打動作付与機構
６０・・装着機構
【図１】
2008043628.tif 000003
【図２】
2008043628.tif 000004
【図３】
2008043628.tif 000005
【図４】
2008043628.tif 000006
【図５】
2008043628.tif 000007
【図６】
2008043628.tif 000008
【図７】
2008043628.tif 000009
【図８】
2008043628.tif 000010
【図９】
2008043628.tif 000011
【図１０】
2008043628.tif 000012
【図１１】
2008043628.tif 000013
【図１２】
2008043628.tif 000014
【図１３】
2008043628.tif 000015
【図１４】
2008043628.tif 000016
【図１５】
2008043628.tif 000017
【図１６】
2008043628.tif 000018